(57)【要約】      （修正有）【課題】ローターの回転阻害要因を防ぐバンケル型ロータリーエンジンを提供する。【解決手段】ローター２によって、ローターハウジング１内を吸気室１Ａ、燃焼室１Ｂ、排気室１Ｃに区画され、第１のローター周側面２Ａと前記第１のローター周側面に対向する前記ローターハウジングの内壁面で囲まれた室が前記燃焼室、第２のローター周側面２Ｂと前記第２のローター周側面に対向する前記ローターハウジングの内壁面で囲まれた室が前記吸気室、第３のローター周側面２Ｃと前記第３のローター周側面に対向する前記ローターハウジングの内壁面で囲まれた室が前記排気室とするとき、前記第１のローター周側面と前記ローターハウジングの内壁面との間の間隙Ｓを介して、前記燃焼室を前記第１の凹所２Ａ１が位置する燃焼ガス室と未燃焼ガス室１Ａ２とに区画し、前記燃焼ガス室で燃焼させると共に、戻し通路Ｂにより前記未燃焼ガス室内の未燃焼ガスを前記吸気室に戻す。【選択図】図１
2016098655.tif 000002
【特許請求の範囲】
【請求項１】
ローターハウジングと、このローターハウジングの内壁面に第１、第２、第３の頂点を接触させながら回転するローターとを備えたバンケル型ロータリーエンジンの燃焼方法であって、
前記ローターは、前記第１、第２、第３の頂点の順に回転するものであり、
前記第１の頂点と前記第２の頂点を含む前記ローターの周側面は、第１のローター周側面であり、
この第１のローター周側面に前記第２の頂点よりは前記第１の頂点に近い側に第１の凹所が形成され、
前記第２の頂点と前記第３の頂点を含む前記ローターの周側面は、第２のローター周側面であり、
この第２のローター周側面に前記第３の頂点よりは前記第２の頂点に近い側に第２の凹所が形成され、
前記第３の頂点と前記第１の頂点を含む前記ローターの周側面は、第３のローター周側面であり、
この第３のローター周側面に前記第１の頂点よりは前記第３の頂点に近い側に第３の凹所が形成され、
前記ローターによって、前記ローターハウジング内を吸気室、燃焼室、排気室に区画され、
前記第１のローター周側面と前記第１のローター周側面に対向する前記ローターハウジングの内壁面の部位で囲まれた室が前記燃焼室、前記第２のローター周側面と前記第２のローター周側面に対向する前記ローターハウジングの内壁面の部位で囲まれた室が前記吸気室、前記第３のローター周側面と前記第３のローター周側面に対向する前記ローターハウジングの内壁面の部位で囲まれた室が前記排気室を形成するとき、前記第１のローター周側面と前記ローターハウジングの内壁面の部位との間に形成された間隙を介して、前記燃焼室を前記第１の凹所が位置する燃焼ガス室と未燃焼ガス室とに区画し、前記燃焼ガス室で燃焼させると共に、戻し通路により前記未燃焼ガス室内の未燃焼ガスを前記吸気室に戻す
ことを特徴とするバンケル型ロータリーエンジンの燃焼方法。
【請求項２】
ローターハウジングと、このローターハウジングの内壁面に第１、第２、第３の頂点を接触させながら回転するローターとを備えたバンケル型ロータリーエンジンの燃焼方法であって、
前記ローターは、前記第１、第２、第３の頂点の順に回転するものであり、
前記第１の頂点と前記第２の頂点を含む前記ローターの周側面は、第１のローター周側面であり、
この第１のローター周側面に前記第２の頂点よりは前記第１の頂点に近い側に第１の凹所が形成され、
前記第２の頂点と前記第３の頂点を含む前記ローターの周側面は、第２のローター周側面であり、
この第２のローター周側面に前記第３の頂点よりは前記第２の頂点に近い側に第２の凹所が形成され、
前記第３の頂点と前記第１の頂点を含む前記ローターの周側面は、第３のローター周側面であり、
この第３のローター周側面に前記第１の頂点よりは前記第３の頂点に近い側に第３の凹所が形成され、
前記ローターによって、前記ローターハウジング内を吸気室、燃焼室、排気室に区画され、
前記第１のローター周側面と前記第１のローター周側面に対向する前記ローターハウジングの内壁面の部位で囲まれた室が前記燃焼室、前記第２のローター周側面と前記第２のローター周側面に対向する前記ローターハウジングの内壁面の部位で囲まれた室が前記吸気室、前記第３のローター周側面と前記第３のローター周側面に対向する前記ローターハウジングの内壁面の部位で囲まれた室が前記排気室を形成するとき、区画手段により、前記燃焼室を前記第１の凹所が位置する燃焼ガス室と未燃焼ガス室とに区画し、戻し通路により区画された前記未燃焼ガス室内の未燃焼ガスを前記吸気室に戻す
ことを特徴とするバンケル型ロータリーエンジンの燃焼方法。
【請求項３】
ローターハウジングと、このローターハウジングの内壁面に第１、第２、第３の頂点を接触させながら回転するローターとを備えたバンケル型ロータリーエンジンの燃焼方法であって、
前記ローターは、前記第１、第２、第３の頂点の順に回転するものであり、
前記第１の頂点と前記第２の頂点を含む前記ローターの周側面は、第１のローター周側面であり、
この第１のローター周側面に前記第２の頂点よりは前記第１の頂点に近い側に第１の凹所が形成され、
前記第２の頂点と前記第３の頂点を含む前記ローターの周側面は、第２のローター周側面であり、
この第２のローター周側面に前記第３の頂点よりは前記第２の頂点に近い側に第２の凹所が形成され、
前記第３の頂点と前記第１の頂点を含む前記ローターの周側面は、第３のローター周側面であり、
この第３のローター周側面に前記第１の頂点よりは前記第３の頂点に近い側に第３の凹所が形成され、
前記ローターによって、前記ローターハウジング内を吸気室、燃焼室、排気室に区画され、
前記第１のローター周側面と前記第１のローター周側面に対向する前記ローターハウジングの内壁面の部位で囲まれた室が前記燃焼室、前記第２のローター周側面と前記第２のローター周側面に対向する前記ローターハウジングの内壁面の部位で囲まれた室が前記吸気室、前記第３のローター周側面と前記第３のローター周側面に対向する前記ローターハウジングの内壁面の部位で囲まれた室が前記排気室を形成するとき、前記第１のローター周側面と前記ローターハウジングの内壁面の部位との間に形成された間隙を介して、前記燃焼室を前記第１の凹所が位置する燃焼ガス室と未燃焼ガス室とに区画し、前記燃焼ガス室で燃焼させると共に、戻し通路により前記未燃焼ガス室内の未燃焼ガスを前記吸気室の吸い込み側に戻す
ことを特徴とするバンケル型ロータリーエンジンの燃焼方法。
【請求項４】
ローターハウジングと、このローターハウジングの内壁面に第１、第２、第３の頂点を接触させながら回転するローターとを備えたバンケル型ロータリーエンジンの燃焼方法であって、
前記ローターは、前記第１、第２、第３の頂点の順に回転するものであり、
前記第１の頂点と前記第２の頂点を含む前記ローターの周側面は、第１のローター周側面であり、
この第１のローター周側面に前記第２の頂点よりは前記第１の頂点に近い側に第１の凹所が形成され、
前記第２の頂点と前記第３の頂点を含む前記ローターの周側面は、第２のローター周側面であり、
この第２のローター周側面に前記第３の頂点よりは前記第２の頂点に近い側に第２の凹所が形成され、
前記第３の頂点と前記第１の頂点を含む前記ローターの周側面は、第３のローター周側面であり、
この第３のローター周側面に前記第１の頂点よりは前記第３の頂点に近い側に第３の凹所が形成され、
前記ローターによって、前記ローターハウジング内を吸気室、燃焼室、排気室に区画され、
前記吸気室に空気のみ、前記燃焼室に燃料を供給する直噴にあって、
前記第１のローター周側面と前記第１のローター周側面に対向する前記ローターハウジングの内壁面の部位で囲まれた室が前記燃焼室、前記第２のローター周側面と前記第２のローター周側面に対向する前記ローターハウジングの内壁面の部位で囲まれた室が前記吸気室、前記第３のローター周側面と前記第３のローター周側面に対向する前記ローターハウジングの内壁面の部位で囲まれた室が前記排気室を形成するとき、前記第１のローター周側面と前記ローターハウジングの内壁面の部位との間に形成された間隙、又は、区画手段を介して、前記燃焼室を前記第１の凹所が位置する燃焼ガス室と空気室とに区画し、前記燃焼ガス室で燃焼させると共に、戻し通路により前記空気室内の空気を前記吸気室、又は、前記吸気室の吸い込み側に戻す
ことを特徴とするバンケル型ロータリーエンジンの燃焼方法。
【請求項５】
ローターハウジングと、このローターハウジングの内壁面に第１、第２、第３の頂点を接触させながら回転するローターとを備えたバンケル型ロータリーエンジンの燃焼方法であって、
前記ローターは、前記第１、第２、第３の頂点の順に回転するものであり、
前記第１の頂点と前記第２の頂点を含む前記ローターの周側面は、第１のローター周側面であり、
この第１のローター周側面に前記第２の頂点よりは前記第１の頂点に近い側に第１の凹所が形成され、
前記第２の頂点と前記第３の頂点を含む前記ローターの周側面は、第２のローター周側面であり、
この第２のローター周側面に前記第３の頂点よりは前記第２の頂点に近い側に第２の凹所が形成され、
前記第３の頂点と前記第１の頂点を含む前記ローターの周側面は、第３のローター周側面であり、
この第３のローター周側面に前記第１の頂点よりは前記第３の頂点に近い側に第３の凹所が形成され、
前記ローターによって、前記ローターハウジング内を吸気室、燃焼室、排気室に区画され、
前記吸気室に空気のみ、前記燃焼室に燃料を供給する直噴にあって、
前記第１のローター周側面と前記第１のローター周側面に対向する前記ローターハウジングの内壁面の部位で囲まれた室が前記燃焼室、前記第２のローター周側面と前記第２のローター周側面に対向する前記ローターハウジングの内壁面の部位で囲まれた室が前記吸気室、前記第３のローター周側面と前記第３のローター周側面に対向する前記ローターハウジングの内壁面の部位で囲まれた室が前記排気室を形成するとき、前記第１のローター周側面と前記ローターハウジングの内壁面の部位との間に形成された間隙、又は、区画手段を介して、前記燃焼室を前記第１の凹所が位置する燃焼ガス室と空気室とに区画し、前記燃焼ガス室で燃焼させると共に、前記空気室内の空気を外気に放出する
ことを特徴とするバンケル型ロータリーエンジンの燃焼方法。
【請求項６】
区画手段は、燃焼室に位置し、ローターハウジングの内壁面からローターに向かって突出し、ローター周側面に当接する突出部材か、又は、燃焼室に位置し、ローターハウジングの内壁面からローターに向かってバネで付勢された突出部材か、又は、第１のローター周側面からローターハウジングの内壁面に向かってバネで付勢された第１の突出部材と第２のローター周側面からローターハウジングの内壁面に向かってバネで付勢された第２の突出部材と第３のローター周側面からローターハウジングの内壁面に向かってバネで付勢された第３の突出部材とを有するものの何れかである
ことを特徴とする請求項２〜５のいずれかに記載のバンケル型ロータリーエンジンの燃焼方法。
【発明の詳細な説明】
【技術分野】
【０００１】
本発明は、バンケル型ロータリーエンジンの燃焼方法に係り、特に、ローターの回転を阻害する要因を防ぐようにしたバンケル型ロータリーエンジンの燃焼方法に関する。
【背景技術】
【０００２】
バンケル型ロータリーエンジンの各ローターの周側面の略中央に凹所を設け、燃焼室の拡大を図ってローターを回転させている。
【発明の概要】
【発明が解決しようとする課題】
【０００３】
上述のバンケル型ロータリーエンジンの燃焼室の凹所内の燃焼ガスはローターを排気室側に向かうように回転を助長するが、ローターの周側面の凹所は、略中央に位置しているため、上記凹所を介して燃焼ガスの一部を吸気室に近い側の燃焼室に戻り、これがローターを吸気室側に向かうように作用し、ローターの回転を阻害する要因になるという問題点が生じた。
【０００４】
本発明は、上記の問題点を考慮してなされたもので、ローターの回転を阻害する要因を防ぐようにしたバンケル型ロータリーエンジンの燃焼方法を提供することを目的とする。
【課題を解決するための手段】
【０００５】
請求項１記載のバンケル型ロータリーエンジンの燃焼方法は、ローターハウジングと、このローターハウジングの内壁面に第１、第２、第３の頂点を接触させながら回転するローターとを備えたバンケル型ロータリーエンジンの燃焼方法であって、前記ローターは、前記第１、第２、第３の頂点の順に回転するものであり、前記第１の頂点と前記第２の頂点を含む前記ローターの周側面は、第１のローター周側面であり、この第１のローター周側面に前記第２の頂点よりは前記第１の頂点に近い側に第１の凹所が形成され、前記第２の頂点と前記第３の頂点を含む前記ローターの周側面は、第２のローター周側面であり、この第２のローター周側面に前記第３の頂点よりは前記第２の頂点に近い側に第２の凹所が形成され、前記第３の頂点と前記第１の頂点を含む前記ローターの周側面は、第３のローター周側面であり、この第３のローター周側面に前記第１の頂点よりは前記第３の頂点に近い側に第３の凹所が形成され、前記ローターによって、前記ローターハウジング内を吸気室、燃焼室、排気室に区画され、前記第１のローター周側面と前記第１のローター周側面に対向する前記ローターハウジングの内壁面の部位で囲まれた室が前記燃焼室、前記第２のローター周側面と前記第２のローター周側面に対向する前記ローターハウジングの内壁面の部位で囲まれた室が前記吸気室、前記第３のローター周側面と前記第３のローター周側面に対向する前記ローターハウジングの内壁面の部位で囲まれた室が前記排気室を形成するとき、前記第１のローター周側面と前記ローターハウジングの内壁面の部位との間に形成された間隙を介して、前記燃焼室を前記第１の凹所が位置する燃焼ガス室と未燃焼ガス室とに区画し、前記燃焼ガス室で燃焼させると共に、戻し通路により前記未燃焼ガス室内の未燃焼ガスを前記吸気室に戻すものである。
【０００６】
また、請求項２記載のバンケル型ロータリーエンジンの燃焼方法は、ローターハウジングと、このローターハウジングの内壁面に第１、第２、第３の頂点を接触させながら回転するローターとを備えたバンケル型ロータリーエンジンの燃焼方法であって、前記ローターは、前記第１、第２、第３の頂点の順に回転するものであり、前記第１の頂点と前記第２の頂点を含む前記ローターの周側面は、第１のローター周側面であり、この第１のローター周側面に前記第２の頂点よりは前記第１の頂点に近い側に第１の凹所が形成され、前記第２の頂点と前記第３の頂点を含む前記ローターの周側面は、第２のローター周側面であり、この第２のローター周側面に前記第３の頂点よりは前記第２の頂点に近い側に第２の凹所が形成され、前記第３の頂点と前記第１の頂点を含む前記ローターの周側面は、第３のローター周側面であり、この第３のローター周側面に前記第１の頂点よりは前記第３の頂点に近い側に第３の凹所が形成され、前記ローターによって、前記ローターハウジング内を吸気室、燃焼室、排気室に区画され、前記第１のローター周側面と前記第１のローター周側面に対向する前記ローターハウジングの内壁面の部位で囲まれた室が前記燃焼室、前記第２のローター周側面と前記第２のローター周側面に対向する前記ローターハウジングの内壁面の部位で囲まれた室が前記吸気室、前記第３のローター周側面と前記第３のローター周側面に対向する前記ローターハウジングの内壁面の部位で囲まれた室が前記排気室を形成するとき、区画手段により、前記燃焼室を前記第１の凹所が位置する燃焼ガス室と未燃焼ガス室とに区画し、戻し通路により区画された前記未燃焼ガス室内の未燃焼ガスを前記吸気室に戻すものである。
【０００７】
また、請求項３記載のバンケル型ロータリーエンジンの燃焼方法は、ローターハウジングと、このローターハウジングの内壁面に第１、第２、第３の頂点を接触させながら回転するローターとを備えたバンケル型ロータリーエンジンの燃焼方法であって、前記ローターは、前記第１、第２、第３の頂点の順に回転するものであり、前記第１の頂点と前記第２の頂点を含む前記ローターの周側面は、第１のローター周側面であり、この第１のローター周側面に前記第２の頂点よりは前記第１の頂点に近い側に第１の凹所が形成され、前記第２の頂点と前記第３の頂点を含む前記ローターの周側面は、第２のローター周側面であり、この第２のローター周側面に前記第３の頂点よりは前記第２の頂点に近い側に第２の凹所が形成され、前記第３の頂点と前記第１の頂点を含む前記ローターの周側面は、第３のローター周側面であり、この第３のローター周側面に前記第１の頂点よりは前記第３の頂点に近い側に第３の凹所が形成され、前記ローターによって、前記ローターハウジング内を吸気室、燃焼室、排気室に区画され、前記第１のローター周側面と前記第１のローター周側面に対向する前記ローターハウジングの内壁面の部位で囲まれた室が前記燃焼室、前記第２のローター周側面と前記第２のローター周側面に対向する前記ローターハウジングの内壁面の部位で囲まれた室が前記吸気室、前記第３のローター周側面と前記第３のローター周側面に対向する前記ローターハウジングの内壁面の部位で囲まれた室が前記排気室を形成するとき、前記第１のローター周側面と前記ローターハウジングの内壁面の部位との間に形成された間隙を介して、前記燃焼室を前記第１の凹所が位置する燃焼ガス室と未燃焼ガス室とに区画し、前記燃焼ガス室で燃焼させると共に、戻し通路により前記未燃焼ガス室内の未燃焼ガスを前記吸気室の吸い込み側に戻すものである。
【０００８】
また、請求項４記載のバンケル型ロータリーエンジンの燃焼方法は、ローターハウジングと、このローターハウジングの内壁面に第１、第２、第３の頂点を接触させながら回転するローターとを備えたバンケル型ロータリーエンジンの燃焼方法であって、前記ローターは、前記第１、第２、第３の頂点の順に回転するものであり、前記第１の頂点と前記第２の頂点を含む前記ローターの周側面は、第１のローター周側面であり、この第１のローター周側面に前記第２の頂点よりは前記第１の頂点に近い側に第１の凹所が形成され、前記第２の頂点と前記第３の頂点を含む前記ローターの周側面は、第２のローター周側面であり、この第２のローター周側面に前記第３の頂点よりは前記第２の頂点に近い側に第２の凹所が形成され、前記第３の頂点と前記第１の頂点を含む前記ローターの周側面は、第３のローター周側面であり、この第３のローター周側面に前記第１の頂点よりは前記第３の頂点に近い側に第３の凹所が形成され、前記ローターによって、前記ローターハウジング内を吸気室、燃焼室、排気室に区画され、前記吸気室に空気のみ、前記燃焼室に燃料を供給する直噴にあって、前記第１のローター周側面と前記第１のローター周側面に対向する前記ローターハウジングの内壁面の部位で囲まれた室が前記燃焼室、前記第２のローター周側面と前記第２のローター周側面に対向する前記ローターハウジングの内壁面の部位で囲まれた室が前記吸気室、前記第３のローター周側面と前記第３のローター周側面に対向する前記ローターハウジングの内壁面の部位で囲まれた室が前記排気室を形成するとき、前記第１のローター周側面と前記ローターハウジングの内壁面の部位との間に形成された間隙、又は、区画手段を介して、前記燃焼室を前記第１の凹所が位置する燃焼ガス室と空気室とに区画し、前記燃焼ガス室で燃焼させると共に、戻し通路により前記空気室内の空気を前記吸気室、又は、前記吸気室の吸い込み側に戻すものである。
【０００９】
また、請求項５記載のバンケル型ロータリーエンジンの燃焼方法は、ローターハウジングと、このローターハウジングの内壁面に第１、第２、第３の頂点を接触させながら回転するローターとを備えたバンケル型ロータリーエンジンの燃焼方法であって、前記ローターは、前記第１、第２、第３の頂点の順に回転するものであり、前記第１の頂点と前記第２の頂点を含む前記ローターの周側面は、第１のローター周側面であり、この第１のローター周側面に前記第２の頂点よりは前記第１の頂点に近い側に第１の凹所が形成され、前記第２の頂点と前記第３の頂点を含む前記ローターの周側面は、第２のローター周側面であり、この第２のローター周側面に前記第３の頂点よりは前記第２の頂点に近い側に第２の凹所が形成され、前記第３の頂点と前記第１の頂点を含む前記ローターの周側面は、第３のローター周側面であり、この第３のローター周側面に前記第１の頂点よりは前記第３の頂点に近い側に第３の凹所が形成され、前記ローターによって、前記ローターハウジング内を吸気室、燃焼室、排気室に区画され、前記吸気室に空気のみ、前記燃焼室に燃料を供給する直噴にあって、前記第１のローター周側面と前記第１のローター周側面に対向する前記ローターハウジングの内壁面の部位で囲まれた室が前記燃焼室、前記第２のローター周側面と前記第２のローター周側面に対向する前記ローターハウジングの内壁面の部位で囲まれた室が前記吸気室、前記第３のローター周側面と前記第３のローター周側面に対向する前記ローターハウジングの内壁面の部位で囲まれた室が前記排気室を形成するとき、前記第１のローター周側面と前記ローターハウジングの内壁面の部位との間に形成された間隙、又は、区画手段を介して、前記燃焼室を前記第１の凹所が位置する燃焼ガス室と空気室とに区画し、前記燃焼ガス室で燃焼させると共に、前記空気室内の空気を外気に放出するものである。
【００１０】
また、請求項６記載のバンケル型ロータリーエンジンの燃焼方法は、請求項２〜５のいずれかに記載のバンケル型ロータリーエンジンの燃焼方法において、区画手段は、燃焼室に位置し、ローターハウジングの内壁面からローターに向かって突出し、ローター周側面に当接する突出部材か、又は、燃焼室に位置し、ローターハウジングの内壁面からローターに向かってバネで付勢された突出部材か、又は、第１のローター周側面からローターハウジングの内壁面に向かってバネで付勢された第１の突出部材と第２のローター周側面からローターハウジングの内壁面に向かってバネで付勢された第２の突出部材と第３のローター周側面からローターハウジングの内壁面に向かってバネで付勢された第３の突出部材とを有するものの何れかである。
【発明の効果】
【００１１】
請求項１記載のバンケル型ロータリーエンジンの燃焼方法によれば、第１のローター周側面と前記第１のローター周側面に対向するローターハウジングの内壁面の部位で囲まれた室が燃焼室、第２のローター周側面と前記第２のローター周側面に対向する前記ローターハウジングの内壁面の部位で囲まれた室が吸気室、第３のローター周側面と前記第３のローター周側面に対向するローターハウジングの内壁面の部位で囲まれた室が排気室を形成するとき、第１のローター周側面とローターハウジングの内壁面の部位との間に形成された間隙を介して、燃焼室を燃焼ガス室と未燃焼ガス室とに区画し、燃焼ガス室で燃焼させると共に、戻し通路により未燃焼ガス室内の未燃焼ガスを前記吸気室に戻すため、燃焼室の燃焼ガスの一部は、燃焼室に位置した第１の凹所（又は第２の凹所、又は第３の凹所）でも燃焼し、その燃焼力をローターを回動方向により作動させ、しかも、戻し通路により燃焼室の未燃焼ガスの一部を吸気室に導くようにして、ローターの回転を阻害する要因を防ぐようにして、効率を向上させることができる。
【００１２】
また、請求項２記載のバンケル型ロータリーエンジンの燃焼方法によれば、第１のローター周側面と前記第１のローター周側面に対向するローターハウジングの内壁面の部位で囲まれた室が燃焼室、第２のローター周側面と前記第２のローター周側面に対向する前記ローターハウジングの内壁面の部位で囲まれた室が吸気室、第３のローター周側面と前記第３のローター周側面に対向するローターハウジングの内壁面の部位で囲まれた室が排気室を形成するとき、区画手段により、燃焼室を燃焼ガス室と未燃焼ガス室とに区画し、戻し通路により区画された未燃焼ガス室内の未燃焼ガスを吸気室に戻すため、燃焼室の燃焼ガスの一部は、燃焼室に位置した第１の凹所（又は第２の凹所、又は第３の凹所）でも燃焼し、その燃焼力をローターを回動方向により作動させ、しかも、戻し通路により燃焼室の未燃焼ガスの一部を吸気室に導くようにして、ローターの回転を阻害する要因を防ぐようにして、効率を向上させることができる。
【００１３】
また、請求項３記載のバンケル型ロータリーエンジンの燃焼方法によれば、第１のローター周側面と前記第１のローター周側面に対向するローターハウジングの内壁面の部位で囲まれた室が燃焼室、第２のローター周側面と前記第２のローター周側面に対向する前記ローターハウジングの内壁面の部位で囲まれた室が吸気室、第３のローター周側面と前記第３のローター周側面に対向するローターハウジングの内壁面の部位で囲まれた室が排気室を形成するとき、区画手段により、燃焼室を燃焼ガス室と未燃焼ガス室とに区画し、戻し通路により区画された未燃焼ガス室内の未燃焼ガスを吸気室に戻すため、燃焼室の燃焼ガスの一部は、燃焼室に位置した第１の凹所（又は第２の凹所、又は第３の凹所）でも燃焼し、その燃焼力をローターを回動方向により作動させ、しかも、戻し通路により前記未燃焼ガス室内の未燃焼ガスを前記吸気室の吸い込み側に戻すようにして、ローターの回転を阻害する要因を防ぐようにして、効率を向上させることができる。
【００１４】
また、請求項４記載のバンケル型ロータリーエンジンの燃焼方法によれば、第１のローター周側面と前記第１のローター周側面に対向するローターハウジングの内壁面の部位で囲まれた室が燃焼室、第２のローター周側面と前記第２のローター周側面に対向する前記ローターハウジングの内壁面の部位で囲まれた室が吸気室、第３のローター周側面と前記第３のローター周側面に対向するローターハウジングの内壁面の部位で囲まれた室が排気室を形成するとき、隙間又は区画手段により、燃焼室を燃焼ガス室と空気室とに区画し、戻し通路により区画された空気室内の空気を吸気室に戻すため、燃焼室の燃焼ガスの一部は、燃焼室に位置した第１の凹所（又は第２の凹所、又は第３の凹所）でも燃焼し、その燃焼力をローターを回動方向により作動させ、しかも、空気室内の空気を吸気室吸気室、又は、吸気室の吸い込み側に戻すようにして、ローターの回転を阻害する要因を防ぐようにして、効率を向上させることができる。                                  
【００１５】
また、請求項５記載のバンケル型ロータリーエンジンの燃焼方法によれば、第１のローター周側面と前記第１のローター周側面に対向するローターハウジングの内壁面の部位で囲まれた室が燃焼室、第２のローター周側面と前記第２のローター周側面に対向する前記ローターハウジングの内壁面の部位で囲まれた室が吸気室、第３のローター周側面と前記第３のローター周側面に対向するローターハウジングの内壁面の部位で囲まれた室が排気室を形成するとき、隙間又は区画手段により、燃焼室を燃焼ガス室と空気室とに区画し、外気通路により区画された空気室内の空気を外気に放出するため、燃焼室の燃焼ガスの一部は、燃焼室に位置した第１の凹所（又は第２の凹所、又は第３の凹所）でも燃焼し、その燃焼力をローターを回動方向により作動させ、しかも、空気室内の空気を外気に放出るようにして、ローターの回転を阻害する要因を防ぐようにして、効率を向上させることができる。
【図面の簡単な説明】
【００１６】
【図１】図１は、本発明の一実施例のバンケル型ロータリーエンジンのローター構造を示した概略的側断面図である。
【図２】図２は、図１と異なる他の実施例のバンケル型ロータリーエンジンのローター構造を示した概略的側断面図である。
【図３】図３は、図２と異なる他の実施例のバンケル型ロータリーエンジンのローター構造を示した概略的側断面図である。
【図４】図４（ａ）は、図３のバンケル型ロータリーエンジンと異なる実施例のローター構造を示した概略的側断面図であり、図４（ｂ）は、図４（ａ）の一部を拡大して示す概略的拡大一部側断面図である。
【図５】図５（ａ）は、図４（ａ）のバンケル型ロータリーエンジンと異なる実施例のローター構造を示した概略的側断面図であり、図５（ｂ）は、図５（ａ）の一部を拡大して示す概略的拡大一部側断面図である。
【図６】図６（ａ）は、図６（ａ）のバンケル型ロータリーエンジンと異なる実施例のローター構造を示した概略的側断面図であり、図６（ｂ）は、図６（ａ）の一部を拡大して示す概略的拡大一部側断面図である。
【発明を実施するための形態】
【００１７】
本発明の一実施例のバンケル型ロータリーエンジンの燃焼方法を図面を参照して説明する。
図１に示すＲはバンケル型ロータリエンジンで、バンケル型ロータリエンジンＲは、ローターハウジング１と、このローターハウジング１のトロコイド曲線に形成された内壁面に第１、第２、第３の頂点（アペックス）２１、２２、２３を接触させながら回転するローター２とを備えたものである。なお、ローターハウジング１の両端には、図示しないサイドハウジングが設けられている。
ローター２に設けられたインターナルギヤ２４と図示しないサイドハウジングの外歯車が噛み合うと共に、ローター２は、図示しないサイドハウジングを貫通するエキセントリックシャフト３に対して、遊星回転運動をするように支持され、ローター２の回転をエキセントリックシャフト３に伝達するようになっている。
【００１８】
上記したローター２は、第１の頂点２１、第２の頂点２２、第３の頂点２３の順に回転するものであり、第１の頂点２１と第２の頂点２２を含むローター２の周側面は、第１のローター周側面２Ａであり、この第１のローター周側面２Ａに第２の頂点２２よりは第１の頂点２１に近い側に第１の凹所２Ａ１が形成されている。
また、第２の頂点２２と第３の頂点２３を含むローター２の周側面は、第２のローター周側面２Ｂであり、この第２のローター周側面２Ｂに第３の頂点２３よりは第２の頂点２２に近い側に第２の凹所２Ｂ１が形成されている。
また、第３の頂点２３と第１の頂点２１を含むローター２の周側面は、第３のローター周側面２Ｃであり、この第３のローター周側面２Ｃに第１の頂点２１よりは第３の頂点２３に近い側に第３の凹所２Ｃ１が形成されている。
【００１９】
また、図１に示すように、ローター２によって、ローターハウジング１内を吸気室１Ｂ、燃焼室１Ａ（燃焼室１Ａは、図１の１Ａ１＋１Ａ２である。）、排気室１Ｃに区画される。そして、第１のローター周側面２Ａと第１のローター周側面２Ａに対向するローターハウジング１の内壁面の部位で囲まれた室が燃焼室１Ａ、第２のローター周側面２Ｂと第２のローター周側面２Ｂに対向するローターハウジング１の内壁面の部位で囲まれた室が吸気室１Ｂ、第３のローター周側面２Ｃと第３のローター周側面２Ｃに対向するローターハウジング１の内壁面の部位で囲まれた室が排気室１Ｃを形成するとき、第１のローター周側面２Ａとローターハウジング１の内壁面の部位との間に形成された間隙Ｓを介して、燃焼室１Ａを第１の凹所２Ａ１が位置する燃焼ガス室１Ａ１と未燃焼ガス室１Ａ２とに区画し、燃焼ガス室１Ａ１で燃焼させると共に、戻し通路Ｂにより未燃焼ガス室１Ａ２内の未燃焼ガスを吸気室１Ａに戻すようにしている。
戻し通路Ｂにより未燃焼ガス室１Ａ２内の未燃焼ガスを吸気室１Ａに戻すようにしたが、場合により、図示しない戻し通路により未燃焼ガス室１Ａ２内の未燃焼ガスを吸気室１Ｂではなく、吸気室１Ｂの吸い込み側（図示せず）に戻すようにしても同様な効果を有する。
【００２０】
なお、図１に示す２５は燃料と空気の混合物をローターハウジング１内に取り入れる吸気ポート、２６は燃焼室１Ａ内の燃焼ガスをローターハウジング１外へ排気する排気ポート、２７は点火プラグ（例えば、沿面プラグ）である。
また、上述の吸気ポート２５は、燃料と空気の混合物を取り入れるようにしたが、図２に示す直噴エンジンの場合には、第１のローター周側面２Ａとローターハウジング１の内壁面の部位との間に形成された間隙Ｓを介して、燃焼室１Ａを第１の凹所２Ａ１が位置する燃焼ガス室１Ａ１と空気室１Ａ２’とに区画し、吸気ポート２５は空気のみを取り入れ、燃料供給通路Ｑを介して燃焼室１Ａの燃焼ガス室１Ａ１に燃料を供給するようにする。
また、吸気室１Ｂに空気のみ、燃料供給通路Ｑを介して燃焼室１Ａ１に燃料を供給する図３に示す直噴の場合、第１のローター周側面２Ａとローターハウジング１の内壁面の部位との間に形成された間隙Ｓを介して、燃焼室１Ａを第１の凹所２Ａ１が位置する燃焼ガス室１Ａ１と空気室１Ａ２’とに区画し、バネにより付勢された弁Ｐにより、未燃焼ガス室１Ａ２内の空気が所定圧に達したとき、未燃焼ガス室１Ａ２内の空気は外気放出通路Ｈにより外気に放出するようにしている。
また、戻し通路Ｂは、図１に示すように、ローターハウジング１内に設けられているが、本願発明にあっては、これに限らず、例えば、図示しないが、サイドハウジング内に設けても良いし、また、図示しないが、吸気室１Ｂと燃焼室１Ａとを接続するパイプ等で形成するようにしても良い。
【００２１】
従って、バンケル型ロータリーエンジンの燃焼方法によれば、第１のローター周側面２Ａと第１のローター周側面２Ａに対向するローターハウジング１の内壁面の部位で囲まれた室が燃焼室１Ａ（燃焼室１Ａは、図１の１Ａ１＋１Ａ２である。）、第２のローター周側面２Ｂと第２のローター周側面２Ｂに対向するローターハウジング１の内壁面の部位で囲まれた室が吸気室１Ｂ、第３のローター周側面２Ｃと第３のローター周側面２Ｃに対向するローターハウジング１の内壁面の部位で囲まれた室が排気室１Ｃを形成するとき（図１参照）、第１のローター周側面２Ａとローターハウジング１の内壁面の部位との間に形成された間隙Ｓを介して、燃焼室１Ａを第１の凹所２Ａ１が位置する燃焼ガス室１Ｂ１と未燃焼ガス室１Ｂ２とに区画し、燃焼ガス室１Ｂ１で燃焼させると共に、戻し通路Ｂにより未燃焼ガス室１Ｂ２内の未燃焼ガスを吸気室１Ａに戻すようにしているため、燃焼室１Ａの燃焼ガスの一部は、燃焼室１Ａに位置した第１の凹所２Ａ１でも燃焼し、その燃焼力をローター２を回動方向により作動させ、しかも、戻し通路Ｂにより燃焼室１Ａの未燃焼ガスの一部を吸気室１Ｂに導くようにして、ローター２の回転を阻害する要因を防ぐようにして、効率を向上させることができる。
なお、図示しない戻し通路により未燃焼ガス室１Ａ２内の未燃焼ガスを吸気室１Ｂではなく、吸気室１Ｂの吸い込み側（図示せず）に戻すようにしても上記と同様な効果を有する。
また、図２及び図３に示すように、吸気室１Ｂに空気のみ、燃焼室１Ａ１に燃料供給通路Ｑを介して燃料を供給する直噴の場合、空気室１Ａ２’内の空気は戻し通路Ｂ（図２）又は、外気放出通路Ｈ（図３）により外気に放出するようにしても、上記と同様な効果を有する。
また、第２の凹所２Ｂ１が燃焼室１Ａに位置したときは、上述の第１の凹所２Ａ１と同様、第２の凹所２Ｂ１でも燃焼し、その燃焼力をローター２を回動方向により作動させ、しかも、戻し通路Ｂにより燃焼室１Ａの未燃焼ガスの一部を吸気室１Ｂに導くようにして、ローター２の回動方向への負荷を軽減させることができ、また、第３の凹所２Ｃ１が燃焼室１Ａに位置したときは、上述の第１の凹所２Ａ１と同様、第３の凹所２Ｃ１でも燃焼し、その燃焼力をローター２を回動方向により作動させ、しかも、戻し通路Ｂにより燃焼室１Ａの未燃焼ガスの一部を吸気室１Ｂに導くようにして、ローター２の回動方向への負荷を軽減させることができる。
【００２２】
なお、上述の実施例では、間隙Ｓを介して、燃焼室１Ｂを第１の凹所２Ａ１が位置する燃焼ガス室１Ｂ１と未燃焼ガス室１Ｂ２とに区画したが、本願発明にあっては、これに限らず、例えば、図４乃至図６記載の区画手段Ｋによって区画するようにしても良い。
即ち、区画手段Ｋは、図４（ａ）（ｂ）に示すように、燃焼室１Ａに位置し、ローターハウジング１の内壁面からローター２に向かって突出し、ローター周側面（２Ａ、２Ｂ、２Ｃ）に当接する突出部材Ｋ１である。
また、区画手段Ｋは、図５（ａ）（ｂ）に示すように、燃焼室１Ａに位置し、ローターハウジング１の内壁面からローター２に向かってバネ１０で付勢された突出部材Ｋ２である。
また、区画手段Ｋは、図６（ａ）（ｂ）に示すように、第１のローター周側面２Ａからローターハウジング１の内壁面に向かってバネ２０で付勢された第１の突出部材Ｋ３と第２のローター周側面２Ｂからローターハウジング１の内壁面に向かってバネ３０で付勢された第２の突出部材Ｋ４と第３のローター周側面２Ｃからローターハウジング１の内壁面に向かってバネ４０で付勢された第３の突出部材Ｋ５とを有するものである。
なお、図４（ａ）（ｂ）、図５（ａ）（ｂ）及び図６（ａ）（ｂ）に示す区画手段Ｋ（Ｋ１、Ｋ２、Ｋ３、Ｋ４、Ｋ５）は、図２及び図３に示した吸気室１Ｂに空気のみ、燃焼室１Ａ１に燃料供給通路Ｑを介して燃料を供給する直噴の場合にも同様に適用できるものである。
即ち、図２、図３の隙間Ｓの位置に区画手段Ｋ（Ｋ１、Ｋ２）を設けたり、区画手段Ｋ（Ｋ３、Ｋ４、Ｋ５）にあっては、図２、図３のローター２にそれぞれ第１の突出部材Ｋ３、第２の突出部材Ｋ４、第３の突出部材Ｋ５を設けることにより適用することができる。
【符号の説明】
【００２３】
Ｒ      バンケル型ロータリーエンジン
１      ローターハウジング
１Ａ    吸気室
１Ｂ    燃焼室
１Ｃ    排気室
２      ローター
２Ａ    第１のローター周側面
２Ａ１  第１の凹所
２Ｂ    第２のローター周側面
２Ｂ１  第２の凹所
２Ｃ    第３のローター周側面
２Ｃ１  第３の凹所
２１    第１の頂点
２２    第２の頂点
２３    第３の頂点
２８    戻し通路
【図１】
2016098655.tif 000003
【図２】
2016098655.tif 000004
【図３】
2016098655.tif 000005
【図４】
2016098655.tif 000006
【図５】
2016098655.tif 000007
【図６】
2016098655.tif 000008